(57)【要約】      （修正有）【課題】特に二層式掛け布団及びその布団カバーを提供する。【解決手段】３枚の布体が重ね合わされ、それら布体の間にそれぞれ収容空間が形成され、対応する両側部がそれぞれ縫合され、一方の側部が縫合されることにより封止縁が設けられると共に、他方の側部に開放状の装填縁１４が設けられる二層式布団カバー１０と、それぞれ前記収容空間に装填される２枚の布団本体２０とを有する二層式掛け布団１０を提供する。【選択図】図１
2014061112.tif 000002
【特許請求の範囲】
【請求項１】
３枚の布体が重ね合わされ、それら布体の間にそれぞれ収容空間が形成され、対応する両側部がそれぞれ縫合され、一方の側部が縫合されることにより封止縁が設けられると共に、他方の側部に開放状の装填縁が設けられる二層式布団カバーと、
それぞれ前記収容空間に装填される２枚の布団本体とを有することを特徴とする二層式掛け布団。
【請求項２】
前記封止縁におけるそれら布体の間にそれぞれ、収容空間と連通する手入れ部が形成され、該手入れ部に少なくとも１つの開口が形成されることを特徴とする請求項１に記載の二層式掛け布団。
【請求項３】
３枚の布体が重ね合わされ、それら布体の間にそれぞれ収容空間が形成され、対応する両側部がそれぞれ縫合され、一方の側部が縫合されることにより封止縁が設けられると共に、他方の側部に開放状の装填縁が形成されることを特徴とする二層式布団カバー。
【請求項４】
前記封止縁におけるそれら布体の間にそれぞれ、収容空間と連通する手入れ部が形成され、該手入れ部に少なくとも１つの開口が形成されることを特徴とする請求項３に記載の二層式布団カバー。
【発明の詳細な説明】
【技術分野】
【０００１】
本発明は、特に掛け布団及びその布団カバーに関するものである。
【背景技術】
【０００２】
従来の布団カバーは、一枚の布を折り返し、或いは二枚の布を重ね合わせ、一側の長さの全部またはその大部分の中央に、布団の出し入れ口となる開口が形成され、この出し入れ口にチャックやボタンが取り付けられ、他側が縫合されることにより、内部に布団本体を収容するための空間が形成される。また、布団本体を布団カバー内に入れる時は、先ずチャックやボタンにより出し入れ口を開き、布団本体を出し入れ口から押し込み、布団本体の各隅が布団カバーの内側のコーナー部にそれぞれ位置するように布団本体の全体を布団カバー内の空間に広げる。
【先行技術文献】
【特許文献】
【０００３】
従来の掛け布団または布団カバーは一層の布団本体しか装填できないので、本発明に係る二層式掛け布団または二層式布団カバーには、二層の布団を装填することができ、新開発のものである。
【発明の概要】
【発明が解決しようとする課題】
【０００４】
しかしながら、従来の掛け布団は、布団カバーの内部に一枚の布団しか入れられなく、つまり、一層式の掛け布団であることから、季節に応じて布団本体の材質や厚さを変更することができないので、実用性に優れない。
【０００５】
また、従来の布団カバーは、１つの出し入れ口しかないことから、布団本体を布団カバーに押し込む際、非常に大変であるので、改良する必要があった。
【課題を解決するための手段】
【０００６】
本発明に係る二層式掛け布団は、３枚の布体が重ね合わされ、それら布体の間にそれぞれ収容空間が形成され、対応する両側部がそれぞれ縫合され、一方の側部が縫合されることにより封止縁が設けられると共に、他方の側部に開放状の装填縁が設けられる二層式布団カバーと、
それぞれ前記収容空間に装填される２枚の布団本体とを有するものである。
【０００７】
また、かかる二層式掛け布団において、前記封止縁におけるそれら布体の間にそれぞれ、収容空間と連通する手入れ部が形成され、該手入れ部に少なくとも１つの開口が形成されることが好ましい。
【０００８】
本発明に係る二層式布団カバーには、３枚の布体が重ね合わされ、それら布体の間にそれぞれ収容空間が形成され、対応する両側部がそれぞれ縫合され、一方の側部が縫合されることにより封止縁が設けられると共に、他方の側部に開放状の装填縁が形成されるものである。
【０００９】
また、かかる二層式布団カバーにおいて、前記封止縁におけるそれら布体の間にそれぞれ、収容空間と連通する手入れ部が形成され、該手入れ部に少なくとも１つの開口が形成されることが好ましい。
【発明の効果】
【００１０】
本発明は上記の構成を有することから、以下の利点を有する。
１．材質が異なる布団本体を収容可能な二層構造：本発明に係る二層式布団カバーには、２つの収容空間が形成されることから、材質や厚さが異なる布団本体を入れてもよく、季節に応じて、適当な材質の布団本体と取り替えることができる。例えば、冬季には、二層式布団カバーの収容空間にそれぞれ羽毛布団やシルク布団を入れて保温効果を高め、夏季には、一枚の布団本体や薄布団のみ入れて使用すればよいので、実用性が高い。
２．掛け布団の出し入れが簡単：布団カバーの一側に開放状の装填縁が、他側に手入れ部が形成されることから、布団本体を装填縁から入れると、両手が反対側の手入れ部の開口から布団カバー内に、布団本体を伸ばし広げることにより、布団を簡単に装填すると共に、時間や手間を省くことができる。
３．装填縁を閉じる手段が様々：本発明に係る二層式布団カバーは、第一布体の折り返し部が上方の収容空間に挿入されることから、装填縁を閉じてもよく、または、装填縁にチャックを取り付けることにより閉じてもよく、または、装填縁に穴及びボタンを設けることにより閉じてもよく、つまり、布団を脱出しないように二層式布団カバー内にセットすればよいことから、消費者の好みに応じて組合せを選択することができる。
４．布団の組合せが豊富：本発明に係る布団カバーは二層式の設計であるので、必要に応じて一枚の布団または二枚の布団を入れても構わないので、使用上、非常に便利である。
【図面の簡単な説明】
【００１１】
【図１】本発明に係る二層式掛け布団の第一実施例の斜視図である。
【図２】本発明に係る二層式掛け布団の第一実施例の断面図である。
【図３】本発明に係る二層式掛け布団の第一実施例の部分拡大断面図である。
【図４】本発明に係る二層式掛け布団の第一実施例における折り返し部を引き出した状態を示す斜視図である。
【図５】本発明に係る二層式掛け布団の第一実施例において、布団本体を布団カバーに入れた状態を示す斜視図である。
【図６】本発明に係る二層式掛け布団の第二実施例の斜視図である。
【図７】本発明に係る二層式掛け布団の第三実施例の斜視図である。
【図８】本発明に係る二層式掛け布団の第四実施例における折り返し部を引き出した状態を示す斜視図である。
【図９】本発明に係る二層式掛け布団の第四実施例における断面図である。
【発明を実施するための形態】
【００１２】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１３】
図１及び図２に示すように、本発明に係る二層式掛け布団における第一実施例は、二層式布団カバー１０と、２枚の布団本体２０を有し、その内、該二層式布団カバー１０は、３枚の布体が重ね合わされたものであり、それら布体の間にそれぞれ収容空間１１が形成され、前後の対応する両側部（図１の前側及び後側）がそれぞれ縫合され、一方の側部（図１の右側）が縫合されることにより封止縁１３が設けられると共に、他方の側部（図１の左側）に開放状の装填縁１４が設けられる。
【００１４】
前記封止縁１３におけるそれら布体の間にそれぞれ、前記収容空間１１と連通する手入れ部１２が形成され、該各手入れ部１２における、該封止縁１３の両端近傍の部分にそれぞれ開口１２１が形成される。尚、前記手入れ部１２の開口１２１は、下方の手入れ部１２の開口１２１と対応するように形成される。
【００１５】
図２乃至図４に示すように、前記３枚の布体はそれぞれ、下から順に第一布体１０Ａ、第二布体１０Ｂ、第三布体１０Ｃと重ね合わされ、該第一布体１０Ａの装填縁１４側にさらに、折り返し部１５が延設され、使用時には、該折り返し部１５が第二布体１０Ｂと第三布体１０Ｃとの間に形成される収容空間１１に挿入される。
【００１６】
尚、前記２枚の布団本体２０はそれぞれ、収容空間１１に入れられ、異なる材質からなっても構わない。
【００１７】
図５に示すように、本発明に係る二層式掛け布団においては、折り返し部１５を上方の収容空間１１から引き出し、２枚の布団本体２０をそれぞれ装填縁１４側から上方及び下方の収容空間１１に押し込み、両手Ｈはそれぞれ手入れ部１２の開口１２１を介して二層式布団カバー１０内に入れて布団本体２０を封止側縁１３側へ伸ばし広げ、その後、第三布体１０Ｃの折り返し部１５を、上方の布団本体２０に重ねるように、第二布体１０Ｂと第三布体１０Ｃとの間の収容空間１１に押し込めば、それら布団本体２０を二層式布団カバー１０にセットすることができる。
【００１８】
図６に示すように、本発明に係る二層式掛け布団における第二実施例は、殆ど第一実施例と同一であるが、二層式布団カバー１０の装填縁１４側における、第一布体１０Ｆと第二布体１０Ｅとの間にチャックが取り付けれると共に、第二布体１０Ｅと第三布体１０Ｄとの間にチャックが取り付けられる点において異なり、それらチャックにより、装填縁１４を閉じれば、布団本体２０を二層式布団カバー１０内に収容することができる。
【００１９】
また、図７に示すように、本発明に係る二層式掛け布団における第三実施例は、殆ど第一実施例と同一であるが、二層式布団カバー１０の装填縁１４側における、第一布体１０Ｍと第二布体１０Ｌとにそれぞれ穴及びボタンが設けられると共に、第二布体１０Ｌと第三布体１０Ｋとに穴及びボタンが設けられる点において異なり、それらボタンを孔に掛けて装填縁１４を閉じれば、布団本体２０を二層式布団カバー１０内に収容することができる。
【００２０】
一方、図８及び図９に示すように、本発明に係る本発明に係る二層式掛け布団における第四実施例は、殆ど第一実施例と同一であるが、一方の側部（図８の左側）の全長が縫合されることにより封止縁１３が設けられ、該封止縁１３に手入れ部の開口が設けられていないという点において異なる。つまり、その二層式布団カバー１０は、前後の対応する両側縁及び封止縁１３が縫合され、他方の側縁に開放状の入れ側縁１４が形成され、該装填縁１４にさらに折り返し部１５が延設され、この構造によれば、２つの布団本体２０をそれぞれ装填縁１４から二層式布団カバー１０に入れてセットすれば、前述した実施例よりも簡単に布団本体２０の出し入れ作業を行なうことができる。
【符号の説明】
【００２１】
１０  二層式布団カバー
１０Ａ、１０Ｆ、１０Ｍ 第一布体
１０Ｂ、１０Ｅ、１０Ｌ 第二布体
１０Ｃ、１０Ｄ、１０Ｋ 第三布体
１１  収容空間
１２  手入れ部
１２１ 開口
１３  封止縁
１４  装填縁
１５  折り返し部
２０  布団本体
【図１】
2014061112.tif 000003
【図２】
2014061112.tif 000004
【図３】
2014061112.tif 000005
【図４】
2014061112.tif 000006
【図５】
2014061112.tif 000007
【図６】
2014061112.tif 000008
【図７】
2014061112.tif 000009
【図８】
2014061112.tif 000010
【図９】
2014061112.tif 000011